(57)【要約】        【課題】  抱き枕型のいびき防止具に関し、クッションの下端部を股の間に自然に挟み込むことができるようにしたものである。        【解決手段】  いびき防止具(10)は、抱き枕型のクッション(20)、クッション(20)の上端部に位置する下あご載置部(21)、クッション(20)の左右の側面に形成され、腕の肘より中枢側の上腕にそれぞれ通す左右一対の腕通し部(60)、クッション(20)の下端部に位置し、股の間を通して後ろ向きに折れ曲がり可能な折曲部(22)、クッション(20)の前面に形成され、左右の脚の太股をそれぞれ通す左右一対の脚入れ部(70)を備える。左右一対の腕通し部(60)及び左右一対の脚入れ部(70)には、少なくとも一部に伸縮性（例えば伸縮部71）のある素材が使用されている。    【選択図】    図１
2008067767.tif 000002
【特許請求の範囲】
【請求項１】
身体の前面に位置し、床面に横になった姿勢で寄り掛かった際に、前記床面との間に位置し、前記身体を横向きの姿勢に維持するための抱き枕型のクッションと、
前記クッションの上端部に位置する下あご載置部と、
前記クッションの左右の側面に形成され、腕の肘より中枢側の上腕にそれぞれ通す左右一対の腕通し部と、
前記クッションの下端部に位置し、股の間を通して後ろ向きに折れ曲がり可能な折曲部と、
前記クッションの前面に形成され、左右の脚の太股をそれぞれ通すことができる左右一対の脚入れ部とを備え、
前記左右一対の腕通し部及び前記左右一対の脚入れ部には、
少なくとも一部に伸縮性のある素材が使用されていることを特徴とするいびき防止具。
【請求項２】
請求項１に記載のいびき防止具であって、
前記折曲部には、
前記クッションの肉厚を薄くして形成した薄肉部を設けていることを特徴とするいびき防止具。
【請求項３】
請求項１又は請求項２に記載のいびき防止具であって、
前記左右一対の脚入れ部は、
一端部を前記左右一対の腕通し部にそれぞれ連結するとともに、
他端部を前記折曲部にそれぞれ連結していることを特徴とするいびき防止具。
【請求項４】
請求項１〜３のいずれか１項に記載のいびき防止具であって、
前記クッションには、
クッション本体と、
前記クッション本体を覆う中空筒型のカバーとを備え、
前記カバーには、
前記左右一対の腕通し部及び前記左右一対の脚入れ部をそれぞれ連結するとともに、
前記折曲部の位置に前記クッション本体を出し入れ可能な開口部を設けていることを特徴とするいびき防止具。
【請求項５】
請求項４に記載のいびき防止具であって、
前記クッションには、
前記カバーの外周を挿入可能な帯状の取付部を備え、
前記取付部には、
前記左右一対の腕通し部をそれぞれ連結するとともに、
前記左右一対の脚入れ部の一端部をそれぞれ連結し、
前記左右一対の脚入れ部の他端部は、
前記カバーにそれぞれ連結されていることを特徴とするいびき防止具。
【請求項６】
請求項５に記載のいびき防止具であって、
前記取付部には、
首からつり下げるためのつり下げ部を連結し、
前記つり下げ部の長さの途中には、
身体を仰向けにした際に、床面に押されて身体を弾性的に押圧する押圧部を設けていることを特徴とするいびき防止具。
【発明の詳細な説明】
【技術分野】
【０００１】
この発明は、抱き枕型のいびき防止具に関し、クッションの下端部を股の間に自然に挟み込むことができるようにしたものである。
【背景技術】
【０００２】
従来、抱き枕型のクッションを利用したいびき防止具が知られ、クッションには左右一対の腕通し部を設けていた（例えば特許文献１の段落番号「００４３」、図１、特許文献２の段落番号「００３７」、図２参照）。
【特許文献１】特開2003-052730号公報（段落番号「００４３」、図１）
【特許文献２】特開2004-160068号公報（段落番号「００３７」、図２）
【発明の開示】
【発明が解決しようとする課題】
【０００３】
しかし、上記した従来のいびき防止具は、クッションの全長が短く、全長の長い抱き枕と比較すると、安定感に劣るというという問題点があった。
すなわち、従来のクッションの全長を延長することも可能であるが、全長を延長すると、睡眠中の装着感が低下するおそれがある。
そこで、各請求項にそれぞれ記載された各発明は、上記した従来の技術の有する問題点に鑑みてなされたものであり、その目的とするところは、次の点にある。
（請求項１）
すなわち、請求項１に記載の発明は、次の点を目的とする。
【０００４】
すなわち、請求項１に記載の発明は、折曲部を介してクッションの下端部が折れ曲がることで、クッションの下端部を股の間に自然に挟み込むことができるようにしたものである。
これに加え、請求項１に記載の発明は、左右の脚入れ部に左右の脚の太股をそれぞれ通すことで、寝ている人の体動に追従させることができ、睡眠後も自然に抱いた姿勢を維持することができるようにしたものである。
（請求項２）
請求項２に記載の発明は、上記した請求項１に記載の発明の目的に加え、次の点を目的とする。
【０００５】
すなわち、請求項２に記載の発明は、折曲部にクッションの肉厚を薄くして形成した薄肉部を設けているので、クッションを一層、折れ曲がり易くすることができるようにしたものである。
（請求項３）
請求項３に記載の発明は、上記した請求項１又は請求項２に記載の発明の目的に加え、次の点を目的とする。
【０００６】
すなわち、請求項３に記載の発明は、左右の脚入れ部を腕通し部から折曲部に掛けて設けているので、脚入れが容易で、しかも装着後の自由度を大きく確保することができるようにしたものである。
（請求項４）
請求項４に記載の発明は、上記した請求項１〜３のいずれか１項に記載の発明の目的に加え、次の点を目的とする。
【０００７】
すなわち、請求項４に記載の発明は、カバーをクッション本体から取り外して、洗濯等することができるようにしたものである。
（請求項５）
請求項５に記載の発明は、上記した請求項４に記載の発明の目的に加え、次の点を目的とする。
【０００８】
すなわち、請求項５に記載の発明は、取付部を介して、腕通し部及び脚入れ部をカバーに容易に取り付けることができるようにしたものである。
これに加えて、請求項５に記載の発明は、取付部をクッションの全長方向に移動することで、腕通し部や脚入れ部の取り付け位置を容易に調整することができるようにしたものである。
（請求項６）
請求項６に記載の発明は、上記した請求項５に記載の発明の目的に加え、次の点を目的とする。
【０００９】
すなわち、請求項６に記載の発明は、身体が仰向けになると、押圧部により身体が押圧されることで、側臥位をうながすことができるようにしたものである。
【課題を解決するための手段】
【００１０】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１１】
第１に、いびき防止具(10)は、例えば図１〜２に示すように、次の構成を備える。
（１）抱き枕型のクッション(20)
抱き枕型のクッション(20)は、例えば図１〜２に示すように、身体の前面に位置し、床面に横になった姿勢で寄り掛かった際に、床面との間に位置し、身体を横向きの姿勢に維持するためのものである。
【００１２】
（２）下あご載置部(21)
下あご載置部(21)は、例えば図１〜２に示すように、クッション(20)の上端部に位置するものである。
（３）左右一対の腕通し部(60)
左右一対の腕通し部(60)は、例えば図１〜２に示すように、クッション(20)の左右の側面に形成され、腕の肘より中枢側の上腕にそれぞれ通すものである。
【００１３】
（４）折曲部(22)
折曲部(22)は、例えば図１に示すように、クッション(20)の下端部に位置し、股の間を通して後ろ向きに折れ曲がり可能なものである。
（５）左右一対の脚入れ部(70)
左右一対の脚入れ部(70)は、例えば図１〜２に示すように、クッション(20)の前面に形成され、左右の脚の太股をそれぞれ通すことができるものである。
【００１４】
第２に、左右一対の腕通し部(60)及び左右一対の脚入れ部(70)には、少なくとも一部に伸縮性（例えば伸縮部71）のある素材が使用されている。
（請求項２）
請求項２に記載の発明は、上記した請求項１に記載の発明の特徴点に加え、次の点を特徴とする。
【００１５】
すなわち、折曲部(22)には、例えば図１３に示すように、クッション(20)の肉厚を薄くして形成した薄肉部(100)を設けている。
（請求項３）
請求項３に記載の発明は、上記した請求項１又は請求項２に記載の発明の特徴点に加え、次の点を特徴とする。
【００１６】
すなわち、左右一対の脚入れ部(70)は、例えば図２〜３に示すように、一端部を左右一対の腕通し部(60)にそれぞれ連結するとともに、他端部を折曲部(22)にそれぞれ連結している。
（請求項４）
請求項４に記載の発明は、上記した請求項１〜３のいずれか１項に記載の発明の特徴点に加え、次の点を特徴とする。
【００１７】
第１に、クッション(20)には、例えば図３に示すように、次の構成を備える。
（１）クッション本体(30)
（２）中空筒型のカバー(40)
中空筒型のカバー(40)は、クッション本体(30)を覆うものである。
第２に、カバー(40)には、例えば図３に示すように、左右一対の腕通し部(60)及び左右一対の脚入れ部(70)をそれぞれ連結するとともに、折曲部(22)の位置にクッション本体(30)を出し入れ可能な開口部(41)を設けている。
（請求項５）
請求項５に記載の発明は、上記した請求項４に記載の発明の特徴点に加え、次の点を特徴とする。
【００１８】
第１に、クッション(20)には、例えば図２〜３に示すように、カバー(40)の外周を挿入可能な帯状の取付部(50)を備える。
第２に、取付部(50)には、例えば図２〜３に示すように、左右一対の腕通し部(60)をそれぞれ連結するとともに、左右一対の脚入れ部(70)の一端部をそれぞれ連結する。
第３に、左右一対の脚入れ部(70)の他端部は、例えば図２〜３に示すように、カバー(40)にそれぞれ連結されている。
（請求項６）
請求項６に記載の発明は、上記した請求項５に記載の発明の特徴点に加え、次の点を特徴とする。
【００１９】
第１に、取付部(50)には、例えば図１〜２に示すように、首からつり下げるためのつり下げ部(80)を連結する。
第２に、つり下げ部(80)の長さの途中には、例えば図１〜２、及び図４〜５に示すように、身体を仰向けにした際に、床面に押されて身体を弾性的に押圧する押圧部(90)を設けている。
【発明の効果】
【００２０】
本発明は、以上のように構成されているので、以下に記載されるような効果を奏する。
（請求項１）
請求項１に記載の発明によれば、次のような効果を奏する。
すなわち、請求項１に記載の発明によれば、折曲部を介してクッションの下端部が折れ曲がることで、クッションの下端部を股の間に自然に挟み込むことができる。
【００２１】
これに加え、請求項１に記載の発明によれば、左右の脚入れ部に左右の脚の太股をそれぞれ通すことで、寝ている人の体動に追従させることができ、睡眠後も自然に抱いた姿勢を維持することができる。
（請求項２）
請求項２に記載の発明によれば、上記した請求項１に記載の発明の効果に加え、次のような効果を奏する。
【００２２】
すなわち、請求項２に記載の発明によれば、折曲部にクッションの肉厚を薄くして形成した薄肉部を設けているので、クッションを一層、折れ曲がり易くすることができる。
（請求項３）
請求項３に記載の発明によれば、上記した請求項１又は請求項２に記載の発明の効果に加え、次のような効果を奏する。
【００２３】
すなわち、請求項３に記載の発明によれば、左右の脚入れ部を腕通し部から折曲部に掛けて設けているので、脚入れが容易で、しかも装着後の自由度を大きく確保することができる。
（請求項４）
請求項４に記載の発明によれば、上記した請求項１〜３のいずれか１項に記載の発明の効果に加え、次のような効果を奏する。
【００２４】
すなわち、請求項４に記載の発明によれば、カバーをクッション本体から取り外して、洗濯等することができる。
（請求項５）
請求項５に記載の発明によれば、上記した請求項４に記載の発明の効果に加え、次のような効果を奏する。
【００２５】
すなわち、請求項５に記載の発明によれば、取付部を介して、腕通し部及び脚入れ部をカバーに容易に取り付けることができる。
これに加えて、請求項５に記載の発明によれば、取付部をクッションの全長方向に移動することで、腕通し部や脚入れ部の取り付け位置を容易に調整することができる。
（請求項６）
請求項６に記載の発明によれば、上記した請求項５に記載の発明の効果に加え、次のような効果を奏する。
【００２６】
すなわち、請求項６に記載の発明によれば、身体が仰向けになると、押圧部により身体が押圧されることで、側臥位をうながすことができる。
【発明を実施するための最良の形態】
【００２７】
（図面の説明）
図１〜１２は、本発明の第１の実施の形態の一例をそれぞれ示すものである。
図１は、クッションの使用状態を示す斜視図、図２はクッションの単体を示す斜視図、図３はクッションの分解斜視図、図４はクッションの使用状態を示す側面図、図５はクッションの使用状態を示す他の側面図をそれぞれ示すものである。
【００２８】
図６〜１２は、クッションをそれぞれ示すものであり、図６は正面図、図７は平面図、図８は背面図、図９は左側面図、図１０は右側面図、図１１は図９のＡ−Ａ線に沿う断面図、図１２は図９のＢ−Ｂ線に沿う断面図をそれぞれ示すものである。
なお、クッションの背面図は、正面図と同一或いは対称であるので省略する。
図１３は、本発明の第２の実施の形態の一例を示し、同図はクッションの正面図を示すものである。
（いびき防止具10）
図中、10は、いびき防止具を示すものであり、いびき防止具10は、図１〜２に示すように、クッション20を中心に構成されている。
（クッション20）
クッション20は、図１〜２に示すように、抱き枕型に形成され、身体の前面に位置し、床面に横になった姿勢で寄り掛かった際に、床面との間に位置し、身体を横向きの姿勢に維持するためのものである。
【００２９】
具体的には、クッション20は、円柱形に形成され、例えば全長が１００〜１４０ｃｍであり、好ましくは１２０ｃｍ程度に形成されている。また、クッション20の外周は、６０〜８０ｃｍであり、好ましくは７０ｃｍ程度に形成されている。
なお、クッション20の外形は、円柱形に限定されず、断面が楕円形や多角形の柱形に形成しても良い。
【００３０】
クッション20には、図１〜２に示すように、次の各部を備える。
（１）下あご載置部21
下あご載置部21は、図１〜２に示すように、クッション20の上端部に位置するものであり、下あごを置いておくためのものである。
（２）折曲部22
折曲部22は、図１に示すように、クッション20の下端部に位置し、股の間を通して後ろ向きに折れ曲がり可能なものである。
【００３１】
なお、クッション20の各部は、上記した（１）〜（２）に限定されない。
クッション20は、図１〜２に示すように、折曲部22を中心として、次の２つの半部に分かれる。
（３）上半部23
上半部23は、折曲部22から上端部に位置する下あご載置部21迄の部分である。
【００３２】
上半部23は、腕で抱きかかえられ、上半身の前面に位置する。上半部23の全長は、クッション20の全長が１２０ｃｍ程度に対し、１００ｃｍ程度に設定されている。
（４）下半部24
下半部24は、折曲部22から下端部迄の部分である。
下半部24は、股を通して太股の間に挟まる。下半部24の全長は、クッション20の全長が１２０ｃｍ程度に対し、２０ｃｍ程度に設定されている。
【００３３】
クッション20は、図３に示すように、次のパーツに分離する。
（５）クッション本体30
（６）カバー40
なお、クッション20のパーツは、上記した（５）〜（６）に限定されない。
（クッション本体30）
クッション本体30は、円柱形に形成されている。
（カバー40）
カバー40は、クッション本体30より一回り大きな中空筒型に形成され、例えば布製であり、クッション本体30を覆うものである。
【００３４】
カバー40には、図３に示すように、開口部41を備える。
開口部41は、図３に示すように、クッション本体30を出し入れ可能なものである。
具体的には、開口部41は、折曲部22の位置に設けられている。また、開口部41の上縁部が、開口部41を閉じた際に、下縁部に重なり合うようにすることで、開口部41が隠れるようにしている。
【００３５】
なお、開口部41を、カバー40の長手方向の途中の折曲部22の位置に、輪切り状に開くように設けたが、これに限定されず、カバー40の長手方向の上端部や下端部、或いはカバー40の側面に、その長手方向に沿って縦に開くように設けても良い。また、開口部41の上下の縁部が重なり合うようにして、開口部41を閉じたが、これに限定されず、面ファスナー、スライド・ファスナー、ボタン、紐、スナップ型の止め具、フック型の止め具等を使用しても良い。
【００３６】
カバー40には、図１〜３に示すように、次のパーツが取り付けられる。
（１）取付部50
（２）腕通し部60
（３）脚入れ部70
（４）つり下げ部80
なお、カバー40のパーツは、上記した（１）〜（４）に限定されない。
（取付部50）
取付部50は、図３に示すように、帯状の円筒形に形成され、カバー40の外周を挿入可能なものである。具体的には、取付部50は、例えば布製であり、少なくとも一部に伸縮性のある素材が使用されている。
（腕通し部60）
腕通し部60は、図１〜２に示すように、左右一対形成され、クッション20の左右の側面に形成され、腕の肘より中枢側の上腕にそれぞれ通すものである。具体的には、取付部50は、例えば布製であり、帯状の円筒形に形成され、少なくとも一部に伸縮性のある素材が使用されている。
【００３７】
左右の腕通し部60は、図３に示すように、取付部50にそれぞれ連結している。具体的には、左右の腕通し部60は、取付部50の左右にそれぞれ縫い付けられている。
なお、腕通し部60を、取付部50に縫い付けたが、これに限定されず、取付部50に紐などを利用して着脱可能に取り付けたり、或いはカバー40に直接、縫い付けたり、紐などを利用して取付部50やカバー40に着脱可能に取り付けても良い。
（脚入れ部70）
脚入れ部70は、図１〜２に示すように、左右一対形成され、クッション20の前面に形成され、左右の脚の太股をそれぞれ通すことができるものである。脚入れ部70は、例えば布製で、帯状に形成され、少なくとも一部に伸縮性のある素材が使用され、例えば、脚入れ部70の下端部に、例えばゴム製の伸縮部71を設けている。
【００３８】
なお、伸縮部71を、脚入れ部70の下端部に設けたが、これに限定されず、脚入れ部70の上端部や長さの途中に設けたり、或いは脚入れ部70全体を伸縮性のある素材で形成しても良い。
左右の脚入れ部70は、図１〜２に示すように、一端部を左右一対の腕通し部60にそれぞれ連結するとともに、他端部を折曲部22にそれぞれ連結している。具体的には、左右の脚入れ部70の一端部を、左右の腕通し部60と一緒に、取付部50にそれぞれ縫い付けている。また、左右の脚入れ部70の他端部を、カバー40の開口部41の下側の縁にそれぞれ縫い付けている。
【００３９】
なお、脚入れ部70の一端部を、腕通し部60と一緒に取付部50に縫い付けたが、これに限定されず、腕通し部60と別々に取付部50に縫い付けたり、或いはカバー40に直接、縫い付けたり、紐などを利用して取付部50やカバー40に着脱可能に取り付けても良い。また、脚入れ部70の他端部を、カバー40に縫い付けたが、これに限定されず、紐などを利用してカバー40に着脱可能に取り付けても良い。
（つり下げ部80）
つり下げ部80は、図１〜２に示すように、取付部50に連結され、クッション20を首からつり下げるためのものである。具体的には、つり下げ部80の両端部を、左右の腕通し部60や左右の脚入れ部70と一緒に、取付部50にそれぞれ縫い付けている。
【００４０】
なお、つり下げ部80を、左右の腕通し部60や左右の脚入れ部70と一緒に取付部50に縫い付けたが、これに限定されず、腕通し部60や脚入れ部70と別々に取付部50に縫い付けたり、或いはカバー40に直接、縫い付けたり、紐などを利用して取付部50やカバー40に着脱可能に取り付けても良い。
また、つり下げ部80は、例えば布製で、帯状に形成され、少なくとも一部に伸縮性のある素材が使用されている。
【００４１】
つり下げ部80の長さの途中には、図１〜２、及び図４に示すように、身体を仰向けにした際に、床面に押されて身体を弾性的に押圧する押圧部90を設けている。
具体的には、押圧部90は、図２〜３に示すように、テニスボール程度の大きに形成されている。
なお、押圧部90の形状は、テニスボール等の球形に限定されない。
（使用方法）
上記した構成を備えるいびき防止具10の使用方法について説明する。
【００４２】
いびき防止具10の使用方法は、次の手順の通りである。
（１）つり下げ部80の装着
（２）腕通し部60の装着
（３）脚入れ部70の装着
なお、いびき防止具10の使用手順は、上記した（１）〜（３）の手順に限定されない。また、つり下げ部80、腕通し部60、脚入れ部70の３個を同時に使用せずに、いずれか少なくとも１個だけを単独で使用しても良い。例えば、腕通し部60と脚入れ部70との２個だけを装着し、このときつり下げ部80の未装着状態のまま使用しても良い。
（つり下げ部80の装着）
つり下げ部80のループ内に頭を通し、図１及び図４〜５に示すように、首の位置迄、下げる。
【００４３】
こうして、装着すると、図４〜５に示すように、押圧部90が、首の後ろ側に位置する。
なお、取付部50を、その伸縮性を利用して、クッション20の全長方向に移動することで、つり下げ部80の長さを容易に調整することができる。
上記装着状態で、横になり、図５に示すように、クッション20を両腕で抱きかかえ、このとき下あご載置部21に顎を載せることで、身体の横向きの姿勢を維持できる。
【００４４】
仮に、身体が仰向けになると、図４及び図５に二点鎖線で示すように、押圧部90が床（布団やマット）に押されて断面楕円形にたわみ、その弾性復元力で首の後ろ側を押圧する。
このため、睡眠状態でも、身体が仰向け状態から、図５に実線で示すように、無意識に横向き状態に回転する。
（腕通し部60の装着）
左右の腕通し部60に、図１及び図４〜５に示すように、左右の腕をそれぞれ通す。このとき、腕通し部60の伸縮性を利用して、肘より上方に通す。
【００４５】
なお、取付部50を、その伸縮性を利用して、クッション20の全長方向に移動することで、腕通し部60の取り付け位置を容易に調整することができる。
上記装着状態で、横になり、図１及び図４〜５に示すように、クッション20を両腕で抱きかかえ、このとき下あご載置部21に顎を載せることで、身体の横向きの姿勢を維持できる。
【００４６】
仮に、身体が仰向けになろうとすると、両手が前方に出ているため、窮屈感が伴い、睡眠状態でも無意識に横向き状態に回転する。
（脚入れ部70の装着）
横になり、図１に示すように、クッション20を両腕で抱きかかえ、股を少し開くと、クッション20の下半部24が、その自重などにより、折曲部22から自然に折れ曲がって、股の間に割り込む。
【００４７】
このとき、クッション20の下半部24を、図１に示すように、左右の太股で挟むようにしながら、左右の脚入れ部70に左右の脚を通す。このとき、脚入れ部70の伸縮性を利用して、膝より上方の太股まで通す。
なお、取付部50を、その伸縮性を利用して、クッション20の全長方向に移動することで、脚入れ部70の取り付け位置や長さを容易に調整することができる。
【００４８】
上記装着状態で、図１に示すように、クッション20を両腕で抱きかかえ、このときクッション20の下半部24を左右の太股で挟むことで、身体の横向きの姿勢を維持できる。
仮に、身体が仰向けになろうとすると、左右の太股の間にクッション20の下半部24が挟まっていることから、窮屈感が伴い、睡眠状態でも無意識に横向き状態に回転する。
（第２の実施の形態）
つぎに、図１３を用いて、第２の実施の形態について説明する。
【００４９】
すなわち、クッション20の折曲部22には、図１３に示すように、クッション20の肉厚を薄くして形成した薄肉部100を設けている。
具体的には、クッション20の折曲部22に、図１３に示すように、薄肉部100を設けて、細くくびれさせている。
なお、第２の実施の形態の説明においては、先に図１〜１２を用いて説明した第１の実施の形態と同一の構成部分については、同一の符号を用いて説明を省略する。
【００５０】
本実施の形態によれば、クッション20を一層、折れ曲がり易くすることができる。また、クッション20の折曲部22を細くくびれさせているので、身長の低い人や太った人でも、左右の太股で挟み易くできる。
【図面の簡単な説明】
【００５１】
【図１】クッションの使用状態を示す斜視図である。
【図２】クッションの単体を示す斜視図である。
【図３】クッションの分解斜視図である。
【図４】クッションの使用状態を示す側面図である。
【図５】クッションの使用状態を示す他の側面図である。
【図６】クッションのクッションの正面図である。
【図７】平面図である。
【図８】クッションの背面図である。
【図９】クッションの左側面図である。
【図１０】クッションの右側面図である。
【図１１】図９のＡ−Ａ線に沿うクッションの断面図である。
【図１２】図９のＢ−Ｂ線に沿うクッションの断面図である。
【図１３】本発明の第２の実施の形態の一例を示し、同図はクッションの正面図である。
【符号の説明】
【００５２】
（第１の実施の形態）
10  いびき防止具
20  クッション        21  下あご載置部
22  折曲部            23  上半部
24  下半部
30  クッション本体
40  カバー          41  開口部
50  取付部          60  腕通し部
70  脚入れ部        71  伸縮部
80  つり下げ部      90  押圧部
（第２の実施の形態）
100  薄肉部
【図１】
2008067767.tif 000003
【図２】
2008067767.tif 000004
【図３】
2008067767.tif 000005
【図４】
2008067767.tif 000006
【図５】
2008067767.tif 000007
【図６】
2008067767.tif 000008
【図７】
2008067767.tif 000009
【図８】
2008067767.tif 000010
【図９】
2008067767.tif 000011
【図１０】
2008067767.tif 000012
【図１１】
2008067767.tif 000013
【図１２】
2008067767.tif 000014
【図１３】
2008067767.tif 000015